(57)【特許請求の範囲】
【請求項１】
内部に固定支持された円筒形状でありかつ円周方向に沿って複数の磁極を有する磁石ロールと、該磁石ロールの外側でかつ前記磁石ロールと非接触に回転可能に支持された中空円筒状の非磁性部材であって外周面にトナーと磁性キャリアからなる２成分現像剤を回転方向に搬送し、対向する感光体上に形成された静電潜像をトナーで現像し、前記感光体上に可視像を形成する現像スリーブと、を備えた現像ローラと、
前記現像剤を収納する現像槽内で、前記現像剤を撹拌混合する現像剤撹拌手段と、
前記現像槽内で前記現像ローラと前記現像剤撹拌手段との間に設けられ、前記現像剤撹拌手段で混合撹拌された現像剤を前記現像スリーブに付与し、かつ前記現像スリーブから現像に供した使用済み現像剤を回収する作用を有する現像剤搬送手段と、を有する現像装置において、
前記現像剤搬送手段は、回転駆動される長手方向に形成された複数の略板状の羽根を有する回転体であり、前記羽根の先端に羽根の長手方向に渡って板状の磁石を設け、
前記磁石ロールの前記現像剤搬送手段と対向する位置の上流側及び下流側には同極性の磁極が設けられていることを特徴とする現像装置。
【請求項２】
内部に固定支持された円筒形状でありかつ円周方向に沿って複数の磁極を有する磁石ロールと、該磁石ロールの外側でかつ前記磁石ロールと非接触に回転可能に支持された中空円筒状の非磁性部材であって外周面にトナーと磁性キャリアからなる２成分現像剤を回転方向に搬送し、対向する感光体上に形成された静電潜像をトナーで現像し、前記感光体上に可視像を形成する現像スリーブと、を備えた現像ローラと、
前記現像剤を収納する現像槽内で、前記現像剤を撹拌混合する現像剤撹拌手段と、
前記現像槽内で前記現像ローラと前記現像剤撹拌手段との間に設けられ、前記現像剤撹拌手段で混合撹拌された現像剤を前記現像スリーブに付与し、かつ前記現像スリーブから現像に供した使用済み現像剤を回収する作用を有する現像剤搬送手段と、を有する現像装置において、
前記現像剤搬送手段は、回転駆動される略円筒状の回転体であり、該回転体の長手方向に渡って全体又は一部が埋設されて配置された複数枚の板状の磁石を設け、
前記磁石ロールの前記現像剤搬送手段と対向する位置の上流側及び下流側には同極性の磁極が設けられていることを特徴とする現像装置。
【請求項３】
前記板状の磁石は磁極が前記現像剤搬送手段の中心から外側に向くように取り付けられ、前記磁石の磁性は前記現像剤搬送手段と最近接位置にある前記磁石ロールの磁石の極性と異なることを特徴とする請求項１または２記載の現像装置。
【請求項４】
前記現像剤搬送手段の回転方向は、前記現像ローラとの対向位置で現像スリーブの移動方向とは逆であることを特徴とする請求項１または２記載の現像装置。
【請求項５】
前記磁石の極性は同一であることを特徴とする請求項１または２記載の現像装置。
【発明の詳細な説明】
【０００１】
【発明の属する技術分野】
本発明は、プリンタ、複写機、ファックス等の電子写真方式の画像形成装置に用いられ、感光体上に形成された静電潜像にトナーを現像させて可視像を形成する現像装置に関し、特にトナーと磁性キャリアとからなる２成分現像剤を用いる現像装置に関する。
【０００２】
【従来の技術】
従来より、複写機、プリンタ、ファックス等の電子写真方式を用いた画像形成装置では、感光体表面に帯電電位の差による静電潜像を形成し、この静電潜像を現像剤中のトナーの付着により現像して可視像を形成している。この現像のために使用する装置が現像装置であり、現在までに数々の形態の現像装置が実用化されている。近年では、画像のカラー化および高画質化が要求されており、トナーを小粒径化したり、トナーの帯電制御が容易な２成分現像剤を用いる現像法などが実用化されている。
【０００３】
従来の２成分現像剤を用い、現像領域で磁気ブラシ現像を行なう現像装置として、次のものが知られている。図２は、このような現像装置の一例を示す概略構成図である。この現像装置１０１は、感光体１１０に近接して設けられており、ハウジング１０９内に、２成分現像剤を磁気的に吸着して搬送する現像ローラ１０２と、この現像ローラ１０２の表面に形成される現像剤層の層厚を一定の厚さに規制する層厚規制部材であるブレード１０３と、現像ローラ１０２に現像剤を供給する現像剤供給手段１０４と、現像剤を現像装置１０１の長手方向に搬送する外側のチューブミキサ１０７と現像剤をチューブミキサ１０７とは逆方向に搬送する内側のオーガー１０８で構成され現像剤を攪拌混合する二重ミキサ１０６と、を備えている。
【０００４】
現像剤供給手段１０４は、４枚の羽根を供えた略十字形状の回転体であり、現像ローラ１０２との対向位置で周面が逆方向に移動するように回転駆動される。この現像剤供給手段１０４の回転により、現像剤の攪拌と搬送とを行なうことができるようになっている。現像ローラ１０２は、固定支持された円柱状の磁石ローラ１０２ａと、この磁石ローラ１０２ａのの外側で回転可能に支持された現像スリーブ１０２ｂとから構成されるものである。磁石ローラ１０２ａには、現像剤供給手段１０４と面する位置に、周方向に隣り合う二つの同極性（Ｎ極）の磁極を備える。
【０００５】
このような現像装置１０１で用いられる２成分現像剤は、帯電性のトナーと磁性キャリアとを含む現像剤であって、撹拌によってトナーが一定の電荷に帯電される。このような現像剤は、現像剤供給手段１０４の回転によって現像ローラ１０２に供給され、磁極を内蔵する現像ローラ１０２の表面に磁気的に吸着され、磁性キャリアが穂状に連なった磁気ブラシを形成する。円筒状のブレード１０３の内部には図示しない回転可能な磁石が配置され、この磁石が適切な角度回転することにより、印刷時には現像剤をブレード１０３と現像スリーブ１０２ｂとの間を通過させ、印刷しない時には通過させないように制御している。このようにすることによってある色の現像器が現像した像を他色の現像器の穂で乱すことが避けられるようになっている。一方、現像領域には、感光体１１０と現像ローラ１０２との間に、交流が重畳された直流電圧である現像バイアス電圧を印加することによって振動電界が形成されており、現像剤層はこの振動電界内に搬送され、現像剤層中のトナーが静電潜像上に転移し、静電潜像が可視化される。
【０００６】
現像後、現像ローラ１０２上の現像剤は、現像スリーブ１０２ｂの回転により同極性（Ｎ極）の磁極が配置された位置に搬送され、磁極間の反発力により現像スリーブ１０２ｂ表面から離脱される。離脱された現像剤は現像剤供給手段１０４の回転により二重ミキサ１０６へ搬送される
このような２成分現像剤を用いる現像装置には、磁気ブラシを感光体に接触させて現像する方式のものと、磁気ブラシを感光体と接触させずにトナーを飛翔させて現像させる非接触方式のものとがある。非接触方式の現像装置では、現像領域で感光体と現像剤層とが接触しないので、感光体の非潜像部に現像剤が付着する、いわゆるかぶり現像がほとんどなく、画像のカラー化・高画質化に適したものである。現像剤層を感光体に接触させると、現像剤層と感光体の摩擦のため現像器と感光体の駆動に非接触方式と比べて大きな力が必要なことと、カラー用の現像器では印刷と非印刷時に応じて現像剤層を感光体に接触させたり非接触にしたりを繰り返すのでその都度衝撃が発生する。そのため画像が乱れることも考えられるため非接触方式の方がカラー用の現像器として多用されている。また、現像装置１０１では、装置を小型化するために現像ローラ１０２とニ重ミキサ１０６と現像剤搬送手段１０４とがほぼ水平に配置されており、現像装置１０１を複数配置するカラー画像形成装置において装置全体を小型化できるという利点も有している。
【０００７】
【発明が解決しようとする課題】
しかしながら、従来の現像装置１０１では、現像ローラ１０２と現像剤供給手段１０４とがほぼ水平に配置されており、現像ローラ１０２上の現像剤を回収する際に、現像剤に働く重力を利用して現像剤を現像ローラ１０２から離脱させることができにくい。そのため、現像ローラ１０２内に配置した磁極（Ｎ極どうし）の反発力により現像剤の離脱を行っているが、このような装置構成では現像ローラ１０２上の現像剤の開放領域と、現像剤供給手段１０４から現像ローラ１０２への現像剤の供給領域とが比較的接近してしまい、離脱領域で滞留した現像剤の一部が現像剤供給手段１０４へ送られずに再び現像ローラ１０２に付着して搬送され、いわゆる現像剤の連れ回りが発生することがある。このため、現像装置１０１内での現像剤の撹拌が不十分となり、連続印刷時に画像に濃度低下等の画像欠陥が発生するという問題があった。
【０００８】
【発明が解決しようとする課題】
上記問題を解決するために、特開平７−３２５４７７号公報に開示された現像装置では、現像ローラ内の隣り合う同極性（Ｎ極）の二つの磁極と対向して磁極と異なる極性（Ｓ極）の二つの磁極を有する固定支持された磁石体と、この磁石体の外周面を一定方向に回転する周面から張り出した複数枚の羽根を備える回転体とからなる現像剤搬送部材が設けられ、互いに逆方向に現像剤を混合搬送する第一のオーガと第二のオーガが設けられ、現像剤搬送手段には、第一のオーガと対向する位置には磁極は設けられていない構成となっている。
【０００９】
このような現像装置では、現像ローラと現像剤搬送手段との間で対向する異なる極性の磁極により、現像ローラから離脱された現像剤の回収と現像剤供給手段から現像ローラへの現像剤の供給とを行なうようになっている。さらに、現像剤供給手段に回収された現像剤は、第一のオーガとの対向位置で、現像剤供給手段の回転により現像剤供給手段の表面から離脱されるようになっている。
【００１０】
しかし、このような現像装置では、現像剤供給手段による現像剤の攪拌と搬送が不充分であり、特に高速機では、高濃度画像の連続印刷時に十分な画像特性を連続して得るのが困難である。これは現像剤供給手段の第一のオーガ側の適切な位置に磁極がないために現像剤供給手段と第一のオーガとの間で現像剤の授受が上手く行えず、現像剤供給手段上を現像ローラが現像に使用したトナー濃度の低い現像剤がそのまま連れ回りしてしまうためである。この原因は羽根を持った回転体を回転させるだけでは、その羽根の間に保持されている現像剤を回転体から離脱させかつトナーが補給されてトナー濃度が回復した現像剤の供給を第一のオーガから受けるのは、周囲の現像剤の圧力や第一のオーガの回転による圧力のため速やかに行なうのが困難なためである。
【００１１】
これより、特に高速機用の現像装置としては不十分であり、現像剤供給手段と第一のオーガとの間の現像剤の授受を大幅に改善することが必要であるという問題があった。また、このような現像剤搬送手段は現像ローラと同等の構成をしているため、その表面の部材の精度があまり要求されないとしても、樹脂製の部材と比較して非常に高価になるという問題もあった。
【００１２】
なお、図２の従来の現像装置を用いて画像の端部と中央部にのみ規定の幅と長さのベタ画像を規定枚数（Ａ４横で３０枚）印刷する試験を行なったところ、初期に６％であった印字部と非印字部のトナー濃度は表１に示すような結果となった。表１は、現像ローラ表面、現像剤搬送手段付近、現像剤攪拌手段付近の印刷域と非印刷域のトナー濃度を測定したものである。
【００１３】
【表１】
0003999932.tif 000002
【００１４】
表１のように印字部のトナー濃度が低下すると、印字部の画像濃度の低下に繋がる。本実験でも初期に１．６あった画像濃度がＡ４横３０枚の端部印刷後には、０．９まで低下した。
【００１５】
表１のような現像ローラ１０２上の印字部のトナー濃度の低下は、マグローラ１０２と現像剤搬送手段１０４との間、及び現像剤搬送手段１０４と二重ミキサ１０６との間の現像剤の授受が不充分なため発生したと考えられ、複数の羽根状の部材を有する回転体を回転させるだけでは現像剤の混合攪拌はほとんど行なわれないことも判明した。
【００１６】
【課題を解決するための手段】
本発明は上記のような現像後の本来回収されるべき現像剤が再び現像領域に搬送される、いわゆる現像剤の連れ回りを防止し、濃度低下のない良好な画像が得られる現像装置とすることを目的とするものである。
【０００１７】
具体的には、内部に固定支持された円筒形状でありかつ円周方向に沿って複数の磁極を有する磁石ロールと、該磁石ロールの外側でかつ前記磁石ロールと非接触に回転可能に支持された中空円筒状の非磁性部材であって外周面にトナーと磁性キャリアからなる２成分現像剤を回転方向に搬送し、対向する感光体上に形成された静電潜像をトナーで現像し、前記感光体上に可視像を形成する現像スリーブと、を備えた現像ローラと、前記現像剤を収納する現像槽内で、前記現像剤を撹拌混合する現像剤撹拌手段と、前記現像槽内で前記現像ローラと前記現像剤撹拌手段との間に設けられ、前記現像剤撹拌手段で混合撹拌された現像剤を前記現像スリーブに付与し、かつ前記現像スリーブから現像に供した使用済み現像剤を回収する作用を有する現像剤搬送手段と、を有する現像装置において、前記現像剤搬送手段は、回転駆動される長手方向に形成された複数の略板状の羽根を有する回転体であり、前記羽根の先端に羽根の長手方向に渡って板状の磁石を設ける現像装置、あるいは前記現像剤搬送手段は、回転駆動される略円筒状の回転体であり、該回転体の長手方向に渡って全体又は一部が埋設されて配置された複数枚の板状の磁石を設け、さらに、前記磁石ロールの前記現像剤搬送手段と対向する位置の上流側及び下流側には同極性の磁極が設けられている現像装置としたものである。
【００１８】
【発明の実施の形態】
以下、本発明に係わる現像装置の実施例を、図に基づいて具体的に説明する。
図１は、本発明の一実施例であるカラー画像形成装置内の現像装置を示す概略構成図である。なお、現像装置は、感光体１１の周辺に４個配設され、イエロー・マゼンタ・シアン・ブラックを現像可能となるが、本実施例ではその内の１つの現像装置のみについて説明する。
【００１９】
現像装置１は、上方にトナー収容部１２を設け、感光体１１と近接して設けられており、ハウジング１０内には、２成分現像剤を収容する現像剤収容部９と、感光体１１との対向位置で表面に２成分現像剤を磁気的に吸着して搬送する円筒状の現像ローラ２と、この現像ローラ２表面に形成される現像剤層を規制する円筒状の層厚規制部材３と、現像ローラ２に現像剤を供給するとともに現像ローラ２上の現像剤を回収して搬送する現像剤搬送手段４と、この現像剤搬送手段４に対して現像ローラ２の反対の位置で現像剤を軸方向に搬送しながら攪拌する外側のチューブミキサ７と内側のオーガ８で構成される二重ミキサ６とを有している。
【００２０】
現像ローラ２は、位置を固定して支持された円柱状の磁石ローラ２ａと、この磁石ローラ２ａの外側で磁石ローラ２ａに非接触で軸線回りに回転可能に支持された現像スリーブ２ｂとで主要部が構成されている。磁石ローラ２ａには、複数の磁極が周面に沿って設けられ、現像剤供給手段４と対向する位置の上流側及び下流側には、周方向に隣り合う二つの同極性（本実施例ではＮ極）の磁極Ａ、Ｂを備えている。現像スリーブ２ｂは、感光体１１との対向位置で周面が同方向に移動するように回転駆動される。
【００２１】
現像剤供給手段４は、回転駆動される四枚の羽根を有する略十字状の部材であって、四枚の羽根はその先端に羽根の長手方向にわたって板状の磁石Ｃ，Ｄ，Ｅ，Ｆがそれぞれ設けられている。磁石Ｃ，Ｄ，Ｅ，Ｆは，その極性が磁石ローラ２ａの隣り合う同極性（Ｎ極）の磁極Ａ，Ｂと異なる極性（Ｓ極）であり、その磁極の向きが現像剤搬送手段４の中心から外側に向かう方向である。現像剤搬送手段４の回転方向は、現像ローラ２との対向位置で現像スリーブ２ｂの移動方向と逆方向に移動するように設定されている。
【００２２】
層厚規制部材３は、ハンジング１０に固定支持された円柱状の部材であり、現像スリーブ２ｂと近接して配設されている。この層厚規制部材３は、現像スリーブ２ｂの回転方向における現像領域の上流側であって、現像剤供給手段４との対向位置の下流側に配設されている。本実施例では、層厚規制部材３は非磁性金属により形成されており、その内部に回転可能な磁石Ｈを有し、磁石Ｈの回転によって現像時には感光体１１と対抗する部分の現像スリーブ上に現像剤層を形成し、現像を行なわないときには感光体１１と対抗する部分の現像スリーブ上に現像剤層を形成しないように設定されている。層厚規制部材３と現像スリーブ２ｂとの間隙を適切に設定することにより、現像領域で必要な現像剤量が得られるように現像剤の層厚が調節される。本実施例では、層厚規制部材３と現像スリーブ２ｂ表面との間隙が０．６５ｍｍに設定されており、約５００μｍの層厚の現像剤層が得られる。
【００２３】
二重ミキサ６を構成するチューブミキサ７とその内部のオーガ８は、互いに逆方向に現像剤を搬送するように回転駆動されるようになっており、現像剤を攪拌するとともに軸方向に搬送するものである。
【００２４】
現像装置１は、現像スリーブ２ｂ上の現像剤層を感光体１１表面に接触させない非接触現像方式のものであり、現像スリーブ２ｂと感光体１１との間隙を適切に設定し、現像剤層の厚さを感光体１１に接触しない範囲でなるべく厚くすることが望ましい。
【００２５】
また、本実施例の現像剤は、摩擦帯電制御が容易で交番電界内での現像剤の制御を効果的に行なうことができる点を考慮し、トナーと磁性キャリアを混合した２成分現像剤を使用した。本実施例では、トナー粒子の摩擦帯電をより的確に制御してトナーの凝集を起こりにくくするため、磁性キャリアの平均粒径が６０μｍ、トナーの平均粒径が９μｍである現像剤を使用した。
【００２６】
このような現像装置１では、感光体１１と現像スリーブ２ｂとの間にバイアス電源（図示せず）から直流成分に交流成分を重畳したバイアス電圧（交流成分のピーク間値が１．４ＫＶ、周波数が３．６ｋＨｚ，直流成分が＋２００Ｖ）が印可されており、ここで生じる交番電界によって両者の対向部分に現像領域が形成される。なお、本実施例では、感光体１１は、図中に示す矢印の方向に１４０ｍｍ毎秒で回転し、帯電器（図示せず）によって＋３５０Ｖ（現像位置において）に一様に帯電された後、画像書き込み装置により露光されて画像部の電位が＋３０Ｖとなるように設定されている。
【００２７】
次に、現像装置１の動作について説明する。このような現像装置１では、トナーと磁性キャリアとは、ハウジング１０内において、二重ミキサ６によって十分に混合攪拌される。これにより、現像剤中のトナーの分布が均一に維持されるとともに、トナーと磁性キャリアに所定の電化が付与される。
【００２８】
攪拌された現像剤は、現像剤搬送手段４の羽根が回転することにより現像剤の搬送が行なわれるとともに、現像剤搬送手段４の羽根の先端にある磁石Ｃ，Ｄ，Ｅ，Ｆの磁力により二重ミキサ６上の現像剤を磁気的吸引力により磁石上に吸引する。そして現像剤搬送手段４の回転に伴って、磁石Ｃ，Ｄ，Ｅ，Ｆが磁石ローラ２ａの磁極Ｂに近接すると、磁石Ｃ，Ｄ，Ｅ，Ｆと磁極Ｂの磁気的吸引力により現像スリーブ２ｂ上に引き付けられる。この作用を実現するため、二重ミキサ６と現像剤搬送手段４との間の距離は現像剤搬送手段４と現像ローラ２との間の距離より広く設定されている。本実施例では、現像剤搬送手段４の羽根の先端にある磁石Ｃ，Ｄ，Ｅ，Ｆの磁力を６００ガウスとし、現像剤搬送手段４と二重ミキサ６の間隔をが２ｍｍ、現像剤搬送手段４と現像ローラの間の距離が４ｍｍとした。このようにして、現像剤は、現像スリーブ２ｂ表面に供給され、現像スリーブ２ｂ上に磁気的に吸着されてブラシ状の現像剤層が形成される。この現像剤層は、現像スリーブ２ｂの回転に伴って層厚規制部材３との対向位置を通過し、現像剤吸着量が規制される。さらに、この現像剤層は、現像スリーブ２ｂが回転することにより現像領域に搬送される。現像領域では、現像スリーブ２ｂと感光体１１との間に交番電界が形成されており、現像剤中のトナーが現像スリーブ２ｂから飛翔し、感光体１１上の静電潜像に付着して現像が行なわれる。
【００２９】
現像後、現像領域を通過した現像スリーブ２ｂ上の現像剤は、現像スリーブ２ｂの回転により隣り合う同極性（Ｎ極）の磁極Ａ，Ｂが配設された位置に搬送され、磁極間の反発力により現像スリーブ２ｂ表面から離脱される。さらにこの現像剤は、磁石ロール２ａの磁極Ａと回転する現像剤搬送部材４の羽根の先端に取り付けられた磁石Ｃ，Ｄ，Ｅ，Ｆとの間の磁気的吸引力により、現像剤搬送手段４の羽根の先端にある磁石Ｃ，Ｄ，Ｅ，Ｆに引き付けられる。こうして現像剤は、現像剤供給手段４に回収され、現像剤搬送部材４の回転より二重ミキサ６との対向位置に搬送される。この位置では、現像剤搬送手段４の羽根の先端にある磁石Ｃ，Ｄ，Ｅ，Ｆに吸引された現像後の現像剤は磁石Ｃ，Ｄ，Ｅ，Ｆ上に穂立ちしているが、二重ミキサ６に接触することで二重ミキサ６に受け渡される。そして、二重ミキサ６を構成するチューブミキサ７とその内側に配設されたオーガ８により現像剤は現像剤収容部８の二重ミキサ６の近傍で十分に混合攪拌され、再度現像剤供給手段４により現像ローラ２へ送られる。
【００３０】
本実施例による現像装置１で現像剤搬送手段４の性能を、用紙の端部と中央部に３ｃｍ幅のベタ画像連続３０枚印刷させ、印刷後の現像装置各部の現像剤中のトナー濃度を測定したところ、印字前の６％に対し、従来の表１と比較して表２のような良好な結果が得られた。
【００３１】
【表２】
0003999932.tif 000003
【００３２】
なお、本実施例では、現像剤搬送手段４として回転駆動される複数枚の略板状の羽根を有する回転体を設け、羽根の先端に長手方向に渡って板状の磁石を設けた場合について説明したが、図３に示すように、現像剤搬送手段１４が略円筒状の回転体であり、その周上に沿って円筒の長手方向に渡って配置された複数枚の板状の磁石Ｃ，Ｄ，Ｅ，Ｆを設けても同様の効果が得られ、しかも羽根の間の現像剤が不要になるため高価な二成分現像剤の量を節約できるためコストダウンが可能になる。但し、現像剤搬送手段１４が保持する現像剤量が少なくなるので、現像剤搬送手段１４を現像剤搬送手段４の場合と比較して高速で回転させる必要がある。または、現像剤搬送手段１４の表面を荒らしたり、長手方向にわたって細かい溝を多数設けることで現像剤の搬送性能を高めることも可能である。なお、
磁石Ｃ，Ｄ，Ｅ，Ｆは、現像剤搬送手段１４の表面に全体又は一部が埋設されて配置されるようにすることが好ましいが、現像剤搬送手段１４の表面に貼付ことも考えられる。
【００３３】
このような現像装置では、現像剤供給部材４，１４から現像ローラ２への現像剤の供給と、現像ローラ２から現像剤搬送部材４，１４への現像剤の回収とを行なう際に、現像剤の授受が円滑に行なわれ、現像ローラ２から離脱された現像剤が再び現像ローラ２に付着するのを防止することができ、現像剤の連れ回りによる画像濃度低下等の画質劣化が防止され、良好な画像が得られるようになる。
【００３４】
なお、本実施例では、磁石ローラ２ａの磁極Ａ、Ｂ間の距離、現像剤搬送手段４の羽根の数、磁石がある羽根の数、現像スリーブ２ｂと現像剤搬送手段４との間隙、現像剤搬送手段４と現像剤混合攪拌手段６との間隙等は、現像剤の回収及び供給が円滑に行なえるように適宜に設定すればよい。また、現像剤搬送手段１４に取り付ける磁石の数、磁石が円筒状部材である現像剤搬送手段１４の表面から突き出しているかどうかについても、現像剤の回収及び供給が円滑に行なえるように適宜に設定すればよい。さらに、磁石の磁力及び磁石の大きさ等は現像剤の回収及び供給が円滑に行なえるように適宜に設定すればよい。また、本発明は、非接触現像方式の現像装置に限らず、磁気ブラシを感光体表面に接触させる方式の現像装置にも適用することができる。
【００３５】
【発明の効果】
以上説明したように、磁石ローラに配設された磁極と回転する現像剤搬送手段の羽根の先端、または円筒上に設けられた磁石を設けることにより、容易な構成追加であるためにコストダウンとなり、かつ現像剤供給用の磁気吸引力と現像剤回収用の磁気吸引力とが別個に形成されるので、現像剤の供給領域と回収領域とを確実に分離して、現像剤の搬送を円滑に行なうことができ、小型化された現像装置の欠点である現像剤の連れ回りが防止され、カラー画像を連続して印刷する場合にも濃度低下のない良好な画像を得る現像装置を提供することができる。
【図面の簡単な説明】
【図１】本発明の現像装置の概略構成図である。
【図２】従来の現像装置を示す概略構成図である。
【図３】本発明の他の実施例を示す概略構成図である。
【符号の説明】
１     現像装置
２     現像ローラ
２ａ   磁石ローラ
２ｂ   現像スリーブ
３     層厚規制部材
４     現像剤供給手段
６      二重ミキサ
７      チューブミキサ
８      オーガ
９      現像剤収容部
１１      感光体
【図１】
0003999932.tif 000004
【図２】
0003999932.tif 000005
【図３】
0003999932.tif 000006